(57)【要約】【課題】製造工数を削減できる空気調和機の室外機を提供する。【解決手段】外装を形成するキャビネット２と、キャビネット２内に配されて電力供給の配線が接続される端子部８と、キャビネット２の周面を形成して立設されるとともに端子部８に臨む窓部５ａを開口した金属製の立設部５と、窓部５ａを開閉する樹脂成形品から成る蓋部１０とを備えた空気調和機の室外機１において、蓋部１０の背面の周部に突設して立設部５に当接する外周リブ１１と、外周リブ１１の内周側に沿って蓋部１０の背面から突出して外周リブ１１との間に溝部１３を形成するとともに立設部５に当接する突出部１２とを設けた。【選択図】図４
2011099619.tif 000002
【特許請求の範囲】
【請求項１】
外装を形成するキャビネットと、前記キャビネット内に配されて電力供給の配線が接続される端子部と、前記キャビネットの周面を形成して立設されるとともに前記端子部に臨む窓部を開口した金属製の立設部と、前記窓部を開閉する樹脂成形品から成る蓋部とを備えた空気調和機の室外機において、前記蓋部の背面の周部に突設して前記立設部に当接する外周リブと、前記外周リブの内周側に沿って前記蓋部の背面から突出して前記外周リブとの間に溝部を形成するとともに前記立設部に当接する突出部とを設けたことを特徴とする空気調和機の室外機。
【請求項２】
前記外周リブ及び前記突出部がそれぞれ前記蓋部の両側部に形成され、前記蓋部の前面に凹設して前記窓部内に突出した断面コ字状に形成されるとともに前記窓部の上端に沿って水平に延びて前方が下がる上壁を有した凹部と、前記凹部の側端に連続して前記窓部内に突出するとともに前記窓部の側縁に沿って上下に延びた遮蔽リブとを設けたことを特徴とする請求項１に記載の空気調和機の室外機。
【請求項３】
前記凹部の上壁が前記蓋部の前面から前方に突出するとともに孔部を有することを特徴とする請求項２に記載の空気調和機の室外機。
【請求項４】
前記蓋部の内面に突出して形成されるとともに前記凹部に手指を掛けて前記蓋部を持ち上げた際に前記窓部の上端に掛止される掛止部を設け、前記掛止部によって前記掛止部上に滴下する水を前記蓋部の両側部に導くことを特徴とする請求項２または請求項３に記載の空気調和機の室外機。
【請求項５】
前記外周リブ及び前記突出部をそれぞれ前記蓋部の両側部及び上部に連続して設け、前記溝部を正面視コ字状に形成したことを特徴とする請求項１に記載の空気調和機の室外機。
【請求項６】
前記溝部の下部に面して前記端子部よりも下方に配される貫通孔を前記立設部に設けたことを特徴とする請求項１〜請求項５のいずれかに記載の空気調和機の室外機。
【発明の詳細な説明】
【技術分野】
【０００１】
本発明は、空気調和機の室外機に関し、特に、電源供給用の配線を接続する端子部を覆う蓋部を有した空気調和機の室外機に関する。
【背景技術】
【０００２】
従来の空気調和機の室外機は特許文献１に開示されている。この空気調和機の室外機は室外に配され、外装を形成する金属製のキャビネットにより圧縮機やファン等の電装品が覆われる。キャビネットは底板上に鉛直面を形成する側板、前面板及び背面板を立設し、上面を天板により被嵌して形成される。
【０００３】
側板には着脱自在の蓋部により開閉される窓部が設けられ、電源供給用の配線を接続する端子部が窓部に臨んで配される。窓部を介して端子部の接続作業が行われる。側板の外面には窓部の上方及び一側方にＬ字状に連続して断面半円状のビードから成る溝部が凹設される。
【０００４】
室外機は室外に配されるため、降雨時等に天板から側板上に流下した水は側板と蓋部との隙間に侵入する。この時、水は窓部の周囲の溝部内を通って下方に導かれて排水される。これにより、端子部の浸水を防止することができる。
【先行技術文献】
【特許文献】
【０００５】
【特許文献１】特開２００２−６１８８５号公報（第２頁−第４頁、第１図）
【発明の概要】
【発明が解決しようとする課題】
【０００６】
しかしながら、上記従来の空気調和機の室外機によると、金属製の側板にビードから成る溝部が形成されるため、側板が部分的に高強度になって変形し易くなる。このため、キャビネットの組立て時に側板の変形を修正する必要があり、室外機の製造工数が大きくなる問題があった。
【０００７】
本発明は、製造工数を削減できる空気調和機の室外機を提供することを目的とする。
【課題を解決するための手段】
【０００８】
上記目的を達成するために本発明は、外装を形成するキャビネットと、前記キャビネット内に配されて電力供給の配線が接続される端子部と、前記キャビネットの周面を形成して立設されるとともに前記端子部に臨む窓部を開口した金属製の立設部と、前記窓部を開閉する樹脂成形品から成る蓋部とを備えた空気調和機の室外機において、前記蓋部の背面の周部に突設して前記立設部に当接する外周リブと、前記外周リブの内周側に沿って前記蓋部の背面から突出して前記外周リブとの間に溝部を形成するとともに前記立設部に当接する突出部とを設けたことを特徴としている。
【０００９】
この構成によると、空気調和機の室外機は金属製の立設部を含むキャビネットにより覆われる。キャビネット内の電装部品に電力供給する配線は端子部に接続され、立設部に開口した窓部を介して接続作業が行われる。窓部を塞ぐ蓋部は背面から突出した外周リブと突出部とが立設部に当接する。蓋部の周部に設けた外周リブと外周リブの内周側に配された突出部との間には溝部が形成される。降雨時等の風圧によって立設部と外周リブとの隙間に侵入する水滴は溝部で圧力が開放され、突出部の外側の溝部内を流下して端子部の下方に導かれる。
【００１０】
また本発明は、上記構成の空気調和機の室外機において、前記外周リブ及び前記突出部がそれぞれ前記蓋部の両側部に形成され、前記蓋部の前面に凹設して前記窓部内に突出した断面コ字状に形成されるとともに前記窓部の上端に沿って水平に延びて前方が下がる上壁を有した凹部と、前記凹部の側端に連続して前記窓部内に突出するとともに前記窓部の側縁に沿って上下に延びた遮蔽リブとを設けることが好ましい。
【００１１】
この構成によると、蓋部の側端部から立設部と外周リブとの隙間に侵入する水滴は溝部内を流下する。蓋部の上端部から立設部と外周リブとの隙間に侵入する水滴は窓部内に突出する凹部の上面に流下する。凹部の上壁は前方が下がるように傾斜するため水滴が前方に導かれるとともに両側部に向かって水平方向に導かれ、遮蔽リブの外側を流下する。
【００１２】
また本発明は、上記構成の空気調和機の室外機において、前記凹部の上壁が前記蓋部の前面から前方に突出するとともに孔部を有することが好ましい。この構成によると、凹部の上面の水滴の一部は前方に流下して孔部から排水される。
【００１３】
また本発明は、上記構成の空気調和機の室外機において、前記蓋部の内面に突出して形成されるとともに前記凹部に手指を掛けて前記蓋部を持ち上げた際に前記窓部の上端に掛止される掛止部を設け、前記掛止部によって前記掛止部上に滴下する水を前記蓋部の両側部に導くことが好ましい。
【００１４】
この構成によると、凹部に手指を掛けて持ち上げると掛止部が窓部の上端に掛止され、室外機を持ち上げることができる。蓋部の上端部から立設部と外周リブとの隙間に侵入する水滴は掛止部上に流下して水平方向に導かれ、凹部の上面や遮蔽リブの外側に滴下する。
【００１５】
また本発明は、上記構成の空気調和機の室外機において、前記外周リブ及び前記突出部をそれぞれ前記蓋部の両側部及び上部に連続して設け、前記溝部を正面視コ字状に形成することが好ましい。この構成によると、蓋部の側端部から立設部と外周リブとの隙間に侵入する水滴は溝部内を流下する。蓋部の上端部から立設部と外周リブとの隙間に侵入する水滴は上端の突出部によって側方に導かれ、両側部の溝部内を流下する。
【００１６】
また本発明は、上記構成の空気調和機の室外機において、前記溝部の下部に面して前記端子部よりも下方に配される貫通孔を前記立設部に設けることが好ましい。この構成によると、溝部を流下する水滴は貫通孔を介して立設部の内面に導かれ、室外機の内部を流下して排水される。
【発明の効果】
【００１７】
本発明によると、キャビネットの金属製の立設部に設けた窓部を開閉する樹脂成形品の蓋部が立設部に当接する外周リブ及び突出部によって形成される溝部を有するので、立設部と外周リブとの隙間に侵入する水滴が溝部によって圧力が開放されて溝部内を流下する。これにより、端子部の浸水を防止することができる。また、蓋部が樹脂成形品から成るので容易に外周リブ及び突出部を形成できるとともに、金属製の立設部に溝部が設けられないため立設部の変形を抑制することができる。従って、空気調和機の室外機の製造工数を削減することができる。
【図面の簡単な説明】
【００１８】
【図１】本発明の実施形態の空気調和機の室外機を示す斜視図
【図２】本発明の実施形態の空気調和機の室外機を示す側面図
【図３】本発明の実施形態の空気調和機の室外機の蓋部を示す斜視図
【図４】本発明の実施形態の空気調和機の室外機の蓋部を示す背面図
【図５】図４のＡ−Ａ断面図
【図６】図４のＢ−Ｂ断面図
【発明を実施するための形態】
【００１９】
以下に本発明の実施形態を図面を参照して説明する。図１、図２は一実施形態の空気調和機の室外機を示す斜視図及び側面図である。室外機１は室外に配され、外装を形成するキャビネット２により圧縮機やファン等の電装品が覆われる。キャビネット２は底板３上に周面を形成する側板５（立設部）、前面板４及び背面板（不図示）を立設し、上面を天板６により被嵌して形成される。底板３、側板５、前面板４、背面板及び天板６は鋼板等の金属により形成される。
【００２０】
キャビネット２内には電装品に電力供給する配線を接続する端子部８が設けられる。側板５には端子部８に臨む窓部５ａが開口する。窓部５ａを介して端子部８の接続作業が行われる。側板５には窓部５ａの周囲に嵌合部５ｂが凹設され、嵌合部５ｂに着脱自在の樹脂成形品から成る蓋部１０が嵌合して窓部５ａが塞がれる。
【００２１】
図３、図４は蓋部１０の斜視図及び背面図を示している。また、図５、図６はぞれぞれ図４のＡ−Ａ断面図及びＢ−Ｂ断面図を示している。蓋部１０の背面側の下端には位置決めリブ１８が突設される。側板５の嵌合部５ｂ（図１参照）には位置決めリブ１８が挿通される挿通孔５ｄ（図１参照）が設けられる。蓋部１０は窓部５ａの上縁を後述する掛止部１７に掛けて位置決めリブ１８を挿通孔５ｄに挿通して位置決めされ、ネジ２１（図１参照）によりネジ止めされる。
【００２２】
蓋部１０の背面の周部には外周リブ１１が突設される。外周リブ１１は蓋部１０の上縁に沿って配される上部１１ａと上部１１ａに連続して蓋部１０の両側縁に沿って配される側部１１ｂを有した正面視コ字状に形成される。
【００２３】
外周リブ１１の内周側には所定の間隔を介して内周リブ１２（突出部）が蓋部１０の背面から突出して設けられる。内周リブ１２は外周リブ１１の上部１１ａ及び側部１１ｂにそれぞれ対向する上部１２ａ及び側部１２ｂを有している。これにより、外周リブ１１と内周リブ１２との間には溝部１３が形成される。尚、上部１２ａは後述する掛止部１７を挟んで左右に分離して設けられ、左右の側部１２ｂにそれぞれ連続する。これにより、内周リブ１２は正面視Ｌ字状に形成される。
【００２４】
本実施形態では溝部１３の深さは約１ｍｍに形成され、溝部１３の幅Ｗ３が深さに対して十分広い約５ｍｍに形成される。また、外周リブ１１及び内周リブ１２は狭い幅Ｗ１、Ｗ２でそれぞれ約１．５ｍｍに形成される。
【００２５】
外周リブ１１及び内周リブ１２は蓋部１０を閉じた際に側板５の嵌合部５ｂ（図１参照）に当接する。また、外周リブ１１及び内周リブ１２は蓋部１０の下部まで延びて形成され、溝部１３の下端が開放されている。嵌合部５ｂには溝部１３の下部に対向して端子部８（図１参照）よりも下方に配される貫通孔５ｃ（図１参照）が形成されている。
【００２６】
蓋部１０の上部には把持部１４が設けられる。把持部１４は前面に突出する断面コ字状の凸部１５と、前面に凹設して背面側に突出する断面コ字状の凹部１６とが連続して断面Ｓ字状に形成される。凸部１５の背面側には上方が開放された断面Ｌ字状の掛止部１７が設けられる。使用者が把持部１４に手指を掛けて蓋部１０を持ち上げると、ネジ２１が緩んでいても掛止部１７が窓部５ａ（図１参照）の上縁に掛止される。これにより、室外機１を持ち上げて運ぶことができる。
【００２７】
凸部１５の上壁１５ａは前方が下がるように傾斜する。これにより、降雨等による水が凸部１５上を流下し、凸部１５の後端の水たまりを防止して汚れを低減することができる。また、凹部１６の上壁１６ａは蓋部１０の前方に延びて凸部１５の下壁を形成し、前方が下がるように傾斜する。上壁１６ａには孔部１６ｂが設けられ、室外機１を持ち上げる際に把持部１４に掛けられた手指を孔部１６ｂによって滑り止めすることができる。
【００２８】
凹部１６は窓部５ａ（図１参照）内に突出し、上壁１６ａが窓部５ａの上縁に沿って水平方向に延びて形成される。凹部１６の両側端には上下に延びる遮蔽リブ１９が連続して設けられる。遮蔽リブ１９は内周リブ１２の内周側に配されて窓部５ａ内に突出し、窓部５ａの側縁に沿って端子部８（図１参照）の下方まで延びて形成される。
【００２９】
上記構成の室外機１において、降雨等によって室外機１には水が掛かり、風雨の圧力によって側板５の嵌合部５ｂと外周リブ１１との隙間に水滴が侵入する。嵌合部５ｂと外周リブ１１との隙間に対して溝部１３の断面積が大きいため、外周リブ１１の側部１１ｂから侵入する水滴は溝部１３で圧力が開放される。これにより、水滴は内周リブ１２の内周側に侵入することなく内周リブ１２の外側の溝部１３内を流下する。溝部１３内を流下する水滴は蓋部１０の下端から側板５の外面を流下するとともに、貫通孔５ｃを介して側板５の内面を流下する。そして、該水滴は窓部５ａの外側に排水される。
【００３０】
尚、外周リブ１１と内周リブ１２の下端を連結して溝部１３の下端を閉塞してもよい。これにより、溝部１３を流下する水滴がキャビネット２の内側を通って排水され、キャビネット２の外面の汚れを低減することができる。
【００３１】
外周リブ１１の上部１１ａから侵入する水滴は掛止部１７上に流下し、掛止部１７上を水平方向に流通して凹部１６の上面に滴下する。凹部１６の上壁１６ａは傾斜するため水滴が前方に導かれるとともに凹部１６の両側部に向けて水平方向に流通する。上壁１６ａ上を前方に流下する水滴は孔部１６ｂを介して排水される。上壁１６ａの両側端に導かれた水滴は遮蔽リブ１９の外側を流下して端子部８の下方に導かれ、側板５の内面を伝って排水される。これにより、端子部８の浸水を防止することができる。
【００３２】
本実施形態によると、キャビネット２の金属製の側板５（立設部）に設けた窓部５ａを開閉する樹脂成形品の蓋部１０が側板５に当接する外周リブ１１及び内周リブ１２（突出部）によって形成される溝部１３を有するので、側板５と外周リブ１１との隙間に侵入する水滴が溝部１３によって圧力が開放されて溝部１３内を流下して排水される。これにより、端子部８の浸水を防止することができる。また、蓋部１０が樹脂成形品から成るので容易に外周リブ１１及び内周リブ１２を形成できるとともに、金属製の側板５に溝部が設けられないため側板５の変形を抑制することができる。従って、空気調和機の室外機１の製造工数を削減することができる。
【００３３】
また、蓋部１０の両側部に外周リブ１１及び内周リブ１２の側部１１ｂ、１２ｂが形成され、窓部５ａの上端に沿って水平に延びる凹部１６と凹部１６に連続して上下に延びた遮蔽リブ１９とが窓部５ａ内に突出して設けられる。凹部１６は断面コ字状に形成され、前方が下がる上壁１６ａを有する。このため、外周リブ１１の側部１１ｂから侵入する水滴は溝部１３を流下し、上部１１ａから侵入する水滴は凹部１６上に滴下して傾斜した上壁１６ａを前方に流下しながら水平方向に流通して遮蔽リブ１９の外側を流下する。従って、凹部１６から端子部８側への水滴の滴下を防止し、端子部８の浸水を確実に防止することができる。
【００３４】
また、凹部１６の上壁１６ａが蓋部１０の前面から前方に突出して孔部１６ｂを有するので、凹部１６上に滴下した水滴を孔部１６ｂから排水することができる。
【００３５】
また、窓部５ａの上端に掛止される掛止部１７によって掛止部１７上に滴下する水を蓋部１０の両側部に導くので、遮蔽リブ１９の外側に水滴を容易に導くことができる。従って、凹部１６から端子部８側への水滴の滴下をより確実に防止することができる。尚、掛止部１７を凹部１６の両側端に対向する位置まで水平方向に延びて形成してもよい。
【００３６】
また、溝部１３の下部に面して端子部８よりも下方に配される貫通孔５ｃを側板５に設けたので、溝部１３を流下する水滴をキャビネット２の内側を通って容易に排水させることができる。
【００３７】
本実施形態において、窓部５ａは側板５に設けられるが、キャビネット２の周面を形成する前面板４や背面板に設けてもよい。また、窓部５ａを側板５の鉛直面に設けているが、キャビネット２の周面に設けた傾斜面に設けてもよい。また、側板５を前面板４、背面板及び天板６の一または複数と一体に形成してもよい。
【００３８】
また、内周リブ１２を幅Ｗ２方向に広い平板状に形成してもよい。即ち、蓋部１０の背面から突出して外周リブ１１の内周側に配された突出部によって溝部１３が形成されていればよい。
【００３９】
また、掛止部１７を省いて把持部１４を持ち上げた際の荷重を支持できる他の部材を設けてもよい。この場合、掛止部１７の両側方に設けられる内周リブ１２の上部１２ａを水平方向に延びて連続させて正面視コ字状の溝部１３を形成するとよい。これにより、外周リブ１１の上部１１ａから侵入する水滴は内周リブ１２の上部１２ａに沿って溝部１３内を側方に導かれた後に流下して排水される。
【産業上の利用可能性】
【００４０】
本発明によると、電源供給用の配線を接続する端子部を覆う蓋部を有した空気調和機の室外機に利用することができる。
【符号の説明】
【００４１】
１    室外機
２    キャビネット
３    底板
４    前面板
５    側板
５ａ  窓部
５ｃ  貫通孔
６    天板
７    端子部
１０    蓋部
１１    外周リブ
１２    内周リブ
１３    溝部
１４    把手部
１５    凸部
１６    凹部
１６ａ  上壁
１６ｂ  孔部
１７    掛止部
１８    位置決めリブ
１９    遮蔽リブ
２１    ネジ
【図１】
2011099619.tif 000003
【図２】
2011099619.tif 000004
【図３】
2011099619.tif 000005
【図４】
2011099619.tif 000006
【図５】
2011099619.tif 000007
【図６】
2011099619.tif 000008
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
外装を形成するキャビネットと、前記キャビネット内に配されて電力供給の配線が接続される端子部と、前記キャビネットの周面を形成して立設されるとともに前記端子部に臨む窓部を開口した金属製の立設部と、前記窓部を開閉する樹脂成形品から成る蓋部とを備えた空気調和機の室外機において、
前記蓋部の背面の周部に突設して前記立設部に当接する外周リブと、前記外周リブの内周側に沿って前記蓋部の背面から突出して前記外周リブとの間に溝部を形成するとともに前記立設部に当接する突出部とを設け、
前記外周リブ及び前記突出部をそれぞれ前記蓋部の両側部及び上部に連続して設け、前記溝部を正面視コ字状に形成したことを特徴とする空気調和機の室外機。
【請求項２】
外装を形成するキャビネットと、前記キャビネット内に配されて電力供給の配線が接続される端子部と、前記キャビネットの周面を形成して立設されるとともに前記端子部に臨む窓部を開口した金属製の立設部と、前記窓部を開閉する樹脂成形品から成る蓋部とを備えた空気調和機の室外機において、
前記蓋部の背面の周部に突設して前記立設部に当接する外周リブと、前記外周リブの内周側に沿って前記蓋部の背面から突出して前記外周リブとによって溝部を形成するとともに前記立設部に当接する突出部とを設け、
前記外周リブ及び前記突出部がそれぞれ前記蓋部の両側部に形成され、
前記蓋部の前面に凹設して前記窓部内に突出した断面コ字状に形成されるとともに前記窓部の上端に沿って水平に延びて前方が下がる上壁を有した凹部と、前記凹部の側端に連続して前記窓部内に突出するとともに前記窓部の側縁に沿って上下に延びた遮蔽リブとを設けたことを特徴とする空気調和機の室外機。
【請求項３】
前記凹部の上壁が前記蓋部の前面から前方に突出するとともに孔部を有することを特徴とする請求項２に記載の空気調和機の室外機。
【請求項４】
前記蓋部の内面に突出して形成されるとともに前記凹部に手指を掛けて前記蓋部を持ち上げた際に前記窓部の上端に掛止される掛止部を設け、前記掛止部によって前記掛止部上に滴下する水を前記蓋部の両側部に導くことを特徴とする請求項２または請求項３に記載の空気調和機の室外機。
【請求項５】
前記外周リブ及び前記突出部をそれぞれ前記蓋部の上部に連続して設け、前記溝部を正面視コ字状に形成したことを特徴とする請求項２〜請求項４のいずれかに記載の空気調和機の室外機。
【請求項６】
前記溝部の下部に面して前記端子部よりも下方に配される貫通孔を前記立設部に設けたことを特徴とする請求項１〜請求項５のいずれかに記載の空気調和機の室外機。